(57)【要約】【課題】臭気や汚染自体の発生を抑制し、衛生面を向上させ、快適な環境をつくることができる小便器を提供する。【解決手段】小便器１００において、ボウル背壁１７の両側から前方に突出する一対のボウル側壁１９がボウル背壁１７の上下から前方に突出するボウル天井壁２１とボウル底壁２３とに連結されてボウル背壁内面２５、ボウル側壁内面２７、ボウル天井壁内面２９およびボウル底壁内面３１に包囲される内方空間３３を形成し内方空間３３が前面で開口部３５となる小便器本体１１と、ボウル背壁内面２５の上部に開口して洗浄水供給配管４５が接続される洗浄水吐出口４１と、洗浄水供給配管４５に接続される合流ノズルを有し合流ノズルから大豆レシチンおよび植物由来のエッセンシャルオイルをエタノールに溶解した溶液を洗浄水中に噴霧し合流させる噴射装置と、を設けた。【選択図】  図５
0003207443.tif 000002
【実用新案登録請求の範囲】
【請求項１】
ボウル背壁の両側から前方に突出する一対のボウル側壁が前記ボウル背壁の上下から前方に突出するボウル天井壁とボウル底壁とに連結されてボウル背壁内面、ボウル側壁内面、ボウル天井壁内面およびボウル底壁内面に包囲される内方空間を形成し前記内方空間が前面で開口部となる小便器本体と、
前記ボウル背壁内面の上部に開口して洗浄水供給配管が接続される洗浄水吐出口と、
前記洗浄水供給配管に接続される合流ノズルを有し前記合流ノズルから大豆レシチンおよび植物由来のエッセンシャルオイルをエタノールに溶解した溶液を洗浄水中に噴霧し合流させる噴射装置と、
を具備することを特徴とする小便器。
【請求項２】
請求項１記載の小便器であって、
前記ボウル背壁内面には、前記ボウル底壁内面に設けられた排水口の近傍に凹部が形成され、
前記凹部には、芳香成分を含有し、洗浄水または排尿による流水によって溶解する錠剤が嵌め込まれて装着されることを特徴とする小便器。
【請求項３】
請求項１または２記載の小便器であって、
前記小便器本体が、脱臭塗膜を有し、
前記脱臭塗膜は、
酸性領域で溶解するｐＨ感受性高分子に界面活性剤を加えた懸濁液に無機系抗菌剤を分散させて水分散溶液を得た後、噴霧乾燥させた粒子Ａと、
塩基性領域で溶解するｐＨ感受性高分子の懸濁液に有機酸で表面処理した無機系抗菌剤を分散させて水分散溶液を得た後、噴霧乾燥させた粒子Ｂと、を含み、
前記粒子Ａと前記粒子Ｂとを、セルロース誘導体および高度分岐環状デキストリンを含む水分散溶液中に分散させた水系コーティング剤が、固化して前記小便器本体の少なくとも前記ボウル背壁内面、ボウル側壁内面、ボウル天井壁内面およびボウル底壁内面に被着されることを特徴とする小便器。
【請求項４】
請求項３記載の小便器であって、
前記高度分岐環状デキストリンが、シクロデキストリンまたはクラスターデキストリンであり、
前記酸性領域で溶解するｐＨ感受性高分子が、アミノアルキルメタクリレートコポリマーＥ、ポリビニルアセタールジエチルアミノアセテートであり、
前記塩基性領域で溶解するｐＨ感受性高分子が、メタクリル酸コポリマーＬＤ、ヒドロキシプロピルメチルセルロースフタレートであることを特徴とする小便器。
【請求項５】
請求項１〜４のいずれか１つに記載の小便器であって、
前記小便器本体に設けられ、閉位置で前記開口部の少なくとも一部分を閉鎖して排尿動作を不能とするとともに、開位置で前記一部分を開放して排尿動作を可能とする扉部材と、
前記扉部材を開閉動作させる駆動装置と、
前記小便器本体の手前の床面に左右一対で設けられ、小便器使用者の小便器使用時における所定の立ち位置を検出するフットスイッチと、
前記ボウル天井壁に設けられ、小便器使用時における前記所定の立ち位置に立った小便器使用者を検知する人体検知センサと、
前記フットスイッチおよび前記人体検知センサの検知信号に基づき、前記駆動装置を駆動制御して前記扉部材の開閉を行う制御装置と、
を具備することを特徴とする小便器。
【考案の詳細な説明】
【技術分野】
【０００１】
本考案は、小便器に関する。
【背景技術】
【０００２】
小便器は、例えば医薬品、食品等の工場建物に設置される場合、特に、衛生面での配慮が必要となる。すなわち、小便器からの細菌、ウイルス等の微生物による製品への汚染を防ぐことが重要となる。また、小便器での排尿によって発生する臭気も不快な環境をつくる。このため、従来、防臭対策等、小便器の使用を快適にする種々の提案がなされている。
【０００３】
例えば特許文献１には、水洗式小便器設備の尿石付着防止方法として、小便器の給水管に薬剤溶液注入装置を取り付け、所定の濃度の薬液を、１回の洗浄水量に対して所定の割合で、定量注入することによって、尿石の付着防止、消毒、脱臭などを図るものが開示されている。特許文献２には、繊維質を含む液成分に無機質顔料とセラミックス粉を含む塗料、例えばミルクに石灰、珪藻土並びに無機の色素顔料を混練拡散させた塗料を、臭気の強い有機系塗装膜の上に塗布することによって、建築用材料からの臭気および有機系塗料より発散される臭気を吸収遮断する防臭用塗料が開示されている。
【０００４】
一方、快適な環境をつくる目的で、蓋を備える小便器が提案されている。例えば特許文献３には、小便器を配設したケースを開閉自在に覆う蓋体を設け、蓋体で覆われた小便器に洗浄水を供給する洗浄水供給機構を設けた小便器清掃装置が開示されている。また、特許文献４には、前面に開口を有する小便器において、人体検知に基づいて自動開閉させる蓋を備えた自動開閉蓋付小便器が開示されている。
【先行技術文献】
【特許文献】
【０００５】
【特許文献１】特開２００３−１５５７６８号公報
【特許文献２】特開２００１−２１９１１８号公報
【特許文献３】特開平６−１３６７９９号公報
【特許文献４】実開平７−１２５７６号公報
【考案の概要】
【考案が解決しようとする課題】
【０００６】
しかしながら、上記の水洗式小便器設備の尿石付着防止方法は、尿石の付着防止に適したｐＨを正確に維持することによって、小便器設備への尿石の付着を確実に防止し、小便器設備およびその排水管の腐食を抑制する。すなわち、尿石の付着防止のみを目的としたものである。このため、直接的な消臭効果や抗菌効果はない。また、上記の防臭用塗料は、臭気の強い有機系塗装膜の上に塗布することによって、建築用材料からの臭気および有機系塗料より発散される臭気を吸収遮断するものである。すなわち、被塗装物と塗料自身からの臭気を吸収遮断することを目的としたものである。このため、小便器そのものに脱臭効果が及ぶものではない。小便器は、臭気、細菌、ウイルス等により汚染されやすい環境にある。従来、このような設備機器では、臭気に関しては、市販されている防臭剤等で、対応していた。また、微生物の汚染に関しては、定期的な清掃などにより対応していた。従って、特に上述した用途の設備機器は、細菌、ウイルス等の微生物による汚染を防ぐことや、防臭対策は元より、防臭剤撒布や定期清掃の労力低減の観点からも、防臭、抗菌効果を高めたい要請がある。
【０００７】
一方で、上記の蓋を備える小便器は、小便器本体を洗浄する際の覆いであったり、臭気拡散防止のためのものであった。すなわち、小便器の内側面を見えないように覆い隠す構造であり、「汚す」ことを未然に防ぐための機能は備えていなかった。そのため、臭気や汚染自体の発生を抑制することはできなかった。
【０００８】
本考案は上記状況に鑑みてなされたもので、その目的は、臭気や汚染自体の発生を抑制し、衛生面を向上させ、快適な環境をつくることができる小便器を提供することにある。
【課題を解決するための手段】
【０００９】
次に、上記の課題を解決するための手段を、実施の形態に対応する図面を参照して説明する。
本考案の請求項１記載の小便器１００は、ボウル背壁１７の両側から前方に突出する一対のボウル側壁１９が前記ボウル背壁１７の上下から前方に突出するボウル天井壁２１とボウル底壁２３とに連結されてボウル背壁内面２５、ボウル側壁内面２７、ボウル天井壁内面２９およびボウル底壁内面３１に包囲される内方空間３３を形成し前記内方空間３３が前面で開口部３５となる小便器本体１１と、
前記ボウル背壁内面２５の上部に開口して洗浄水供給配管４５が接続される洗浄水吐出口４１と、
前記洗浄水供給配管４５に接続される合流ノズル６１を有し前記合流ノズル６１から大豆レシチンおよび植物由来のエッセンシャルオイルをエタノールに溶解した溶液７１を洗浄水中に噴霧し合流させる噴射装置５９と、
を具備することを特徴とする。
【００１０】
この小便器１００では、消臭効果をもつ大豆レシチンおよび植物由来のエッセンシャルオイルをエタノールに溶解した溶液７１が、合流ノズル６１から洗浄水供給配管４５の洗浄水中に噴霧により合流される。洗浄水吐出口４１から吐出した洗浄水は、この溶液７１をボウル背壁内面２５，ボウル側壁内面２７，ボウル底壁内面３１に搬送する。これら小便器１００の各内面に搬送された溶液７１は、臭気をトラップする。洗浄水及び溶液７１は、臭気をトラップしながら、新たな尿及びその他の臭気元、臭気元を含む残存洗浄水等を内方空間３３から排水口５５を介して外部へ排出する。
【００１１】
本考案の請求項２記載の小便器１００は、請求項１記載の小便器１００であって、
前記ボウル背壁内面２５には、前記ボウル底壁内面３１に設けられた排水口５５の近傍に凹部５３が形成され、
前記凹部５３には、芳香成分を含有し、洗浄水または排尿による流水によって溶解する錠剤５７が嵌め込まれて装着されることを特徴とする。
【００１２】
この小便器１００では、凹部５３に装着された錠剤５７が、放尿位置のターゲット（排尿ターゲット）となる。放尿時における尿は、ボウル背壁内面２５の最適な位置、例えば速やかに排水口５５に流下する位置に着地し、内方空間３３に広く拡散したり、内方空間外に飛散しにくくなる。錠剤５７は、芳香成分を含有し、使用後の流水により一部が溶解し、また、発泡して、これに伴って芳香成分が放出し、臭気がトラップされる。
【００１３】
本考案の請求項３記載の小便器１００は、請求項１または２記載の小便器１００であって、
前記小便器本体１１が、脱臭塗膜を有し、
前記脱臭塗膜は、
酸性領域で溶解するｐＨ感受性高分子に界面活性剤を加えた懸濁液に無機系抗菌剤を分散させて水分散溶液を得た後、噴霧乾燥させた粒子Ａと、
塩基性領域で溶解するｐＨ感受性高分子の懸濁液に有機酸で表面処理した無機系抗菌剤を分散させて水分散溶液を得た後、噴霧乾燥させた粒子Ｂと、を含み、
前記粒子Ａと前記粒子Ｂとを、セルロース誘導体および高度分岐環状デキストリンを含む水分散溶液中に分散させた水系コーティング剤が、固化して前記小便器本体１１の少なくとも前記ボウル背壁内面２５、ボウル側壁内面２７、ボウル天井壁内面２９およびボウル底壁内面３１に被着されることを特徴とする。
【００１４】
この小便器１００では、酸性臭は、酸性で溶解するコーティング剤であるｐＨ感受性高分子を介してトラップされる。また、アルカリ臭は、塩基性で溶解するコーティング剤であるｐＨ感受性高分子を介してトラップされる。すなわち、脱臭塗膜は、アルカリ性臭気や酸性臭気を別々に対してではなく１つの塗材を用いて形成される。これにより、脱臭塗膜は、容易な成膜作業により、広範囲な臭気の脱臭効果が得られる。さらに、脱臭塗膜は、粒子Ａおよび粒子Ｂが例えば銀ゼオライト等の無機系抗菌剤を含むので、脱臭効果に加え、これによる抗菌効果もさらに発現させることが可能となる。そして、防臭と抗菌効果を有する塗材が、少なくともボウル背壁内面２５、ボウル側壁内面２７、ボウル天井壁内面２９およびボウル底壁内面３１にコーティングされる。これにより、臭気の接する面積の殆どで脱臭効果、抗菌効果を発現させることが可能となる。
【００１５】
本考案の請求項４記載の小便器１００は、請求項３記載の小便器１００であって、
前記高度分岐環状デキストリンが、シクロデキストリンまたはクラスターデキストリンであり、
前記酸性領域で溶解するｐＨ感受性高分子が、アミノアルキルメタクリレートコポリマーＥ、ポリビニルアセタールジエチルアミノアセテートであり、
前記塩基性領域で溶解するｐＨ感受性高分子が、メタクリル酸コポリマーＬＤ、ヒドロキシプロピルメチルセルロースフタレートであることを特徴とする。
【００１６】
この小便器１００では、しっかりとした被膜の形成が可能となる。また、綺麗な被膜になる。さらに、脱臭塗膜は、細かな多孔質のコーティング構造となるので、経時的に、徐々に脱臭効果、抗菌効果が発現する。
【００１７】
本考案の請求項５記載の小便器１００は、請求項１〜４のいずれか１つに記載の小便器１００であって、
前記小便器本体１１に設けられ、閉位置で前記開口部３５の少なくとも一部分を閉鎖して排尿動作を不能とするとともに、開位置で前記一部分を開放して排尿動作を可能とする扉部材３９と、
前記扉部材３９を開閉動作させる駆動装置と、
前記小便器本体１１の手前の床面に左右一対で設けられ、小便器使用者の小便器使用時における所定の立ち位置を検出するフットスイッチ５１と、
前記ボウル天井壁２１に設けられ、小便器使用時における前記所定の立ち位置に立った小便器使用者を検知する人体検知センサ４９と、
前記フットスイッチ５１および前記人体検知センサ４９の検知信号に基づき、前記駆動装置を駆動制御して前記扉部材３９の開閉を行う制御装置と、
を具備することを特徴とする。
【００１８】
この小便器１００では、小便器使用者が、所定の立ち位置に立つと、フットスイッチ５１が小便器使用者の存在を検知し、制御装置により駆動装置が制御されて扉部材３９が開放される。使用後には、人体検知センサ４９が小便器使用者の不在を検知し、制御装置により駆動装置が制御されて扉部材３９が開口部３５の一部分を閉鎖する。従って、小便器１００は、小便器使用者が所定の立ち位置に立ったときのみに、使用が可能となる。これにより、使用者は、小便器１００に向かって決められた所定の立ち位置に立つ意識を持つことになる。そのため、所定の立ち位置以外で小便器１００を使用することによる小便器外への尿の飛散が抑制される。
【考案の効果】
【００１９】
本考案に係る請求項１記載の小便器によれば、臭気や汚染自体の発生を抑制し、衛生面を向上させ、快適な環境をつくることができる。
【００２０】
本考案に係る請求項２記載の小便器によれば、錠剤が排尿ターゲットとなり、小便器使用者の排尿方向を意識付けることとなって、外方への尿の飛散が抑制されるとともに、芳香成分による防臭が可能となる。
【００２１】
本考案に係る請求項３記載の小便器によれば、臭気をトラップし、環境のよい、快適な小便器を得ることができる。また、抗菌作用によって、小便器からの細菌、ウイルス等の微生物の汚染を抑制できる。
【００２２】
本考案に係る請求項４記載の小便器によれば、長期に渡り脱臭効果、抗菌効果を持続させる脱臭塗膜を容易に形成することができる。
【００２３】
本考案に係る請求項５記載の小便器によれば、小便器使用者に対し、小便器に向かう最適な位置に立たせる意識を持たせることができ、小便器外に尿が飛び出ることが無くなり、便器周辺の汚れを抑制でき、防臭となる。
【図面の簡単な説明】
【００２４】
【図１】本考案の実施形態に係る小便器の外観斜視図である。
【図２】図１に示した小便器の扉部材開放時の斜視図である。
【図３】図１に示した小便器の正面図である。
【図４】図３に示した小便器の平面図である。
【図５】図１に示した小便器の縦断面図である。
【図６】図１に示した小便器に接続される噴射装置をその要部拡大図と共に表した構成説明図である。
【図７】扉部材をシャッター式閉鎖蓋とした変形例に係る小便器の縦断面図である。
【図８】図７に示した変形例に係る小便器のシャッター式閉鎖蓋が閉鎖状態の平面図である。
【考案を実施するための形態】
【００２５】
以下、本考案に係る実施形態を図面を参照して説明する。
図１は本考案の実施形態に係る小便器１００の外観斜視図である。
本実施形態に係る小便器１００は、小便器本体１１を有する。小便器本体１１は、トイレブースの壁面１３に、床１５より所定高さ浮上した位置で固定される。小便器本体１１は、ボウル背壁１７の両側から前方に突出する一対のボウル側壁１９と、ボウル背壁１７の上下から前方に突出するボウル天井壁２１およびボウル底壁２３とを有する。ボウル天井壁２１とボウル底壁２３は、一対のボウル側壁１９の上部同士と下部同士とを連結する。小便器本体１１は、ボウル背壁内面２５、ボウル側壁内面２７、ボウル天井壁内面２９（図５参照）およびボウル底壁内面３１（図５参照）に包囲された内方空間３３を有する。小便器本体１１は、前面が内方空間３３の開口部３５となる。
【００２６】
一対のボウル側壁１９の前縁には、上下方向の中央部よりも少し下側に、蝶番３７を介して扉部材３９が取り付けられる。扉部材３９は、駆動装置（図示略）により開閉動作される。駆動装置は、例えば蝶番３７に内接される駆動モータと駆動リンク機構等により構成される。この駆動装置は、制御装置（図示略）により駆動モータの駆動が制御される。
【００２７】
一対の扉部材３９は、開閉することにより、開口部３５の中央部よりも少し下側を閉鎖または開放する。小便器本体１１は、扉部材３９が閉鎖した状態において、扉部材３９を挟んで開口部３５の上部と下部とが開放した状態のままとなる。このように、扉部材３９は、閉位置で開口部３５の少なくとも一部分を閉鎖して排尿動作を不能とするとともに開位置でその一部分を開放して開口部３５を隔てるものを退かせ、この開口部３５での排尿動作を可能とする。すなわち、扉部材３９は、開口部３５を完全に閉鎖する機能は有していない。つまり扉部材３９は、排尿の可否を決める手段となっている。
【００２８】
図２は図１に示した小便器１００の扉部材開放時の斜視図である。
扉部材３９は、開放状態において、開口部３５を全て開放する。本実施形態では、開放された開口部３５は、略逆三角形の開口面となる。内方空間３３は、奥側がボウル背壁内面２５となり、その左右がボウル側壁内面２７に、上下がボウル天井壁内面２９、ボウル底壁内面３１に包囲される。
【００２９】
一対のボウル側壁１９は、下部に向かうに従ってボウル背壁１７からの突出長が徐々に大きくなる傾斜で前縁が形成される。また、ボウル背壁１７は、下部に向かって徐々に前方にせり出す曲面で形成されている（図５参照）。従って、小便器本体１１は、下部における内方空間３３が、左右に狭く、奥側に深く形成され、尿が外部へ飛散しにくい構造となっている。
【００３０】
図３は図１に示した小便器１００の正面図である。
小便器本体１１は、ボウル背壁内面２５の上部に、洗浄水を放出する洗浄水吐出口４１が開口する。この洗浄水吐出口４１は、ボウル背壁外面４３（図５参照）に配管される洗浄水供給配管４５と接続される。ボウル天井壁２１の天井壁外面４７には、人体検知センサ４９が取り付けられる。人体検知センサ４９は、小便器本体１１の前方で、所定の立ち位置に立った小便器使用者を検出し、人体検知有りの信号を出力する。従って、人体検知センサ４９は、小便器使用者が、所定の立ち位置に不在のときは、人体検知無しの検知信号を出力する。
【００３１】
図４は図３に示した小便器１００の平面図である。
小便器本体１１の前方の床１５には、左右一対のフットスイッチ５１が設けられる。フットスイッチ５１は、小便器使用者の小便器使用時における所定の立ち位置を検出する。このフットスイッチ５１は、視認容易な形状、色等により人による識別が容易となっている。このフットスイッチ５１の位置は、小便器使用者が放尿したときに、内方空間３３において尿が最も飛散しにくくなる位置で設定されている。従って、一対のフットスイッチ５１に両足を載置して立った小便器使用者は、尿が最も飛散しにくくなる位置で小便器１００を使用できることになる。このフットスイッチ５１には、小便器使用者の体重により作動する感圧式センサ等を用いることができる。
【００３２】
小便器１００は、制御装置を有する。制御装置は、例えばコンピューターやプログラマブルシーケンサー等により構成できる。制御装置は、上記の駆動装置、人体検知センサ４９、フットスイッチ５１に電気的に接続される。制御装置には、人体検知センサ４９及びフットスイッチ５１からの小便器使用者有無の検出信号が入力される。制御装置は、この入力信号に基づき制御装置を駆動制御し、扉部材３９を開閉制御する。
【００３３】
図５は図１に示した小便器１００の縦断面図である。
小便器本体１１は、ボウル背壁内面２５の下部に、凹部５３が形成される。凹部５３は、ボウル底壁内面３１に設けられた排水口５５の近傍に位置する。この凹部５３には、芳香成分を含有し、洗浄水または排尿による流水によって発泡しながら溶解する錠剤５７が嵌め込まれて装着される。この錠剤５７は、例えば直径３ｃｍ、厚さ１ｃｍくらいで形成される。
【００３４】
錠剤５７は、有機酸、例えばクエン酸等と、塩基性物質として、例えば炭酸水素ナトリウム（重曹）等とされ、発泡するこれら素材と、芳香成分としては、例えば植物由来のエッセンシャルオイルなど、また必要に応じて添加剤を配合することができる。
【００３５】
なお、本実施形態において、錠剤５７の保持手段は、凹部５３である場合を例に説明するが、錠剤保持手段は、凸部であってもよい。凸部は、単数であっても、複数であってもよい。単数の凸部の場合、錠剤５７を環状に形成し、内穴に凸部を挿入して保持が可能となる。複数の凸部の場合、円盤状の錠剤５７の外周を複数箇所で下側から支えて保持が可能となる。
【００３６】
図６は図１に示した小便器１００に接続される噴射装置５９をその要部拡大図と共に表した構成説明図である。
小便器１００は、噴射装置５９を備える。噴射装置５９は、合流ノズル６１と、芳香剤タンク６３と、エアコンプレッサー６５と、を備える。合流ノズル６１は、洗浄水供給配管４５の中途に接続される。合流ノズル６１は、洗浄水供給配管４５の管壁の一部分を貫通し、洗浄水供給配管４５の管内壁で開口する。合流ノズル６１には、芳香剤供給管６７と、エア供給管６９が接続される。芳香剤供給管６７は、芳香剤タンク６３に接続される。芳香剤タンク６３には、芳香剤である大豆レシチンおよび例えばサイプレスなどの植物由来のエッセンシャルオイルをエタノールに溶解した溶液７１が貯留される。エア供給管６９は、エアコンプレッサー６５に接続される。エアコンプレッサー６５は、エアを圧送することにより、サイホン効果を生じさせ、芳香剤タンク６３からの溶液７１を吸引する。吸引された溶液７１は、噴射前に合流ノズル内でエアと混合され、微粒子化した状態でノズル口７３から洗浄水に噴射される。つまり、噴射装置５９は、サイホン方式とすることができる。
【００３７】
ところで、小便器本体１１は、脱臭塗膜を有する。脱臭塗膜は、小便器本体１１における表面の少なくとも一部分、例えばボウル背壁内面２５、ボウル側壁内面２７、ボウル天井壁内面２９およびボウル底壁内面３１に被覆されている。脱臭塗膜は、酸性領域で溶解するｐＨ感受性高分子とそのｐＨ感受性高分子に包含される無機系抗菌剤とからなる粒子Ａと、塩基性領域で溶解するｐＨ感受性高分子とそのｐＨ感受性高分子に包含される無機系抗菌剤とからなる粒子Ｂと、を含んでいる。脱臭塗膜は、これら粒子Ａと粒子Ｂとを、セルロース誘導体および高度分岐環状デキストリンを含む水分散溶液中に分散させた水系コーティング剤が、固化して被塗布面に被着したものである。
【００３８】
脱臭塗膜を構成する酸性領域で溶解するｐＨ感受性高分子は、アミノアルキルメタクリレートコポリマー（商品名：オイドラギット  ＥＰＯ）や、ポリビニルアセタールジエチルアミノアセテートであることが好ましい。
【００３９】
無機系抗菌剤は、脱臭と抗菌作用を有する銀ゼオライトであることが好ましい。銀ゼオライトは、殺菌と防臭を行うことが既知であり、例えばゼオミック（登録商標：シナネン株式会社）を用いる。
【００４０】
また、脱臭塗膜を構成する塩基性領域で溶解するｐＨ感受性高分子は、メタクリル酸コポリマーＬＤ（商品名：オイドラギット  Ｌ３０Ｄ−５５）や、ヒドロキシプロピルメチルセルロースフタレートであることが好ましい。なお、ヒドロキシプロピルメチルセルロースフタレート（ＨＰＭＣＰ）は、フタリル基の置換度によりｐＨ５からｐＨ５．５の範囲で容易に溶解する。
【００４１】
脱臭塗膜は、酸性で溶け、アルカリ性（塩基性）でも溶ける。防臭に関してアンモニア、アミン類のアルカリ臭は、上記粒子Ｂの塩基性で溶解するｐＨ感受性高分子に、硫化水素、酪酸の酸性臭は、上記粒子Ａの酸性で溶解するｐＨ感受性高分子に、それぞれ臭いがトラップされる。これら粒子は、アルカリ性、酸性、それぞれで反応する形で、銀ゼオライトにフィルム状にコーティングする構成である。これは、既知のシクロデキストリンや銀ゼオライトを芯にしてコーティング材のようにｐＨ感受性高分子が巻き付けられる構造とされる。これにより、酸性の臭い、アルカリ性の臭いでコーティング材であるｐＨ感受性高分子が溶けて反応し、これら臭いをトラップ、すなわち捕捉する。
【００４２】
＜高度分岐環状デキストリン＞
脱臭塗膜を構成する高度分岐環状デキストリンは、脱臭作用を有するシクロデキストリンまたはクラスターデキストリン（江崎グリコ社：登録商標）であることが好ましい。クラスターデキストリンは、構造が環状であり、その環の中に臭いをトラップすることにより脱臭効果を得ることができる。
【００４３】
ところで、抗菌とは「製品の表面における細菌の増殖を抑制する状態」と定義される（JIS Z 2801(ISO22196)）。抗菌剤は、細菌がついても、ある一定の時間しか生きることができない、あるいはそれ以上増殖できなくすることにより、菌にとっては住みにくい状態にする。このように、抗菌剤は、菌を殺したり減少させたりするのではなく、増殖を抑制する。すなわち、脱臭塗膜は、物体や液体といった対象物や、限られた空間に含まれる微生物の数を減らし、清浄度を高めることができる。
【００４４】
高度分岐環状デキストリンは、例えば、多数のブドウ糖が結合して成るデンプンの一部の結合を加水分解することにより、大きさを小さくしたデキストリンからなるものであって、構造に環状部分を持ち、また多くに枝分かれする部分を持つ。この高度分岐環状デキストリンは、以下の特徴を有する。体内の消化酵素によっても、容易に消化される。すなわち、人体への安全性が高い。他のデキストリンに比べて、分子量分布が狭い。水への溶解性が高く、冷水にもよく溶ける。すなわち、コーティング（塗膜形成）の作業が容易となる。安定性がよく、老化しにくく、粘性が低い。高分子であり、分子量が揃っているため、ほとんど浸透圧を発生しない。雑味や甘みがほとんどなく、デンプンに由来する粉臭がない。この高度分岐環状デキストリンは、例えばコーンスターチに、酵素であるブランチングエンザイムを作用させて製造することができる。
【００４５】
シクロデキストリンは、数分子のＤ−グルコースがαグルコシド結合によって結合し環状構造をとった環状オリゴ糖の一種である。シクロデキストリンは、グルコースが５個以上結合したものが知られている。一般的なものはグルコースが６個から８個結合したものであり、それぞれ６個結合しているものがα−シクロデキストリン（シクロヘキサアミロース）、７個結合しているものがβ−シクロデキストリン（シクロヘプタアミロース）、８個結合しているものがγ−シクロデキストリン（シクロオクタアミロース）と呼ばれる。
【００４６】
シクロデキストリンは、デンプンにバシラス属、ブレビバクテリウム属、コリネバクテリウム属といった細菌から抽出したシクロマルトデキストリングルカノトランスフェラーゼを作用させることによって得ることができる。すなわち、でんぷんを活性分解させて得ることができる。シクロデキストリンは、塩基に対しては安定であり、酸に対してもデンプンや他のオリゴ糖に比べるとかなり安定である。またα−アミラーゼによる分解もデンプンに比べるとかなり遅い。β−アミラーゼによっては分解されない。また熱に対してもかなり安定で、２００℃程度まで加熱しても安定である。シクロデキストリンの水への溶解度は、２５℃でα体が１４．５ｇ／１００ｍｌ、β体が１．８ｇ／１００ｍｌ、γ体が２３．２ｇ／１００ｍｌであり、β体はその溶解性が低い。
【００４７】
シクロデキストリンの環状構造の内部は、他の比較的小さな分子を包接できる程度の大きさの空孔となっている。シクロデキストリンのヒドロキシ基は、この空孔の外側にあるため、空孔内部は疎水性となっており、疎水性の分子を包接しやすい。これを利用して疎水性の物質をシクロデキストリンに包接させることで水に溶解させたり、水や酸素と反応しやすい物質を保護したりできる。
【００４８】
［脱臭塗膜の成膜方法］  
脱臭塗膜の成膜方法は、概略的に、酸性領域で溶解するｐＨ感受性高分子に界面活性剤を加えた懸濁液に無機系抗菌剤を分散させて水分散溶液を得た後、噴霧乾燥させて粒子Ａを得る。また、塩基性領域で溶解するｐＨ感受性高分子の懸濁液に有機酸で表面処理した無機系抗菌剤を分散させて水分散溶液を得た後、噴霧乾燥させて粒子Ｂを得る。次いで、粒子Ａと粒子Ｂを、エチルセルロースの水懸濁液、ヒドロキシプロピルメチルセルロース、シクロデキストリンまたはクラスターデキストリンの成分を含有する水分散溶液中に均一に分散させ塗材である水系コーティング剤を得る。そして、この水系コーティング剤を臭気接触部材の表面に塗布した後、加熱処理により被塗布面に固化させて脱臭塗膜を成膜する。
【００４９】
＜粒子Ａ＞
より具体的には、脱臭塗膜は、臭気接触部材の表面に防臭効果および抗菌作用を有する塗材をコーティング（塗装）することにより得られる。塗材は、ｐＨが酸性領域で溶解するコーティング剤（例えば、オイドラギット  ＥＰＯ）と銀ゼオライトから成る粒子Ａを具備する。具体的には、オイドラギット  ＥＰＯ：１００部、ラウリル硫酸ナトリウム：１０部、ステアリン酸：１５部およびタルク：３５部を水：２４０部で均一な懸濁液とする。ここに銀ゼオライトを分散し、均一な水分散溶液を製する。この水分散溶液を、噴霧乾燥装置を用いて、銀ゼオライトにオイドラギット  ＥＰＯが包含された構成となる固形粒子Ａとする。
【００５０】
＜粒子Ｂ＞
また、塗材は、ｐＨが塩基性領域で溶解するコーティング剤（例えば、オイドラギット  Ｌ３０Ｄ−５５）と、予め有機酸（例えば、コハク酸）を用いて表面処理した銀ゼオライトとから成る粒子Ｂを具備する。具体的には、オイドラギット  Ｌ３０Ｄ−５５：１００部、クエン酸トリエチル；２０部およびタルク：５０部を水：１００部で均一な懸濁溶液とする。ここに有機酸で表面処理した銀ゼオライトを分散し、均一な水分散溶液を製する。この水分散溶液を、噴霧乾燥装置を用いて、銀ゼオライトにオイドラギット  Ｌ３０Ｄ−５５が包含された構成となる固形粒子Ｂとする。
【００５１】
塗材は、これらの粒子Ａと、粒子Ｂとを、エチルセルロースの水懸濁液（水不溶性高分子としては、例えばエチルセルロース（特にエチルセルロース水分散液（例えば、商品名：アクアコート、ＦＭＣ社製）））、ヒドロキシプロピルメチルセルロース（ＨＰＭＣ）および、シクロデキストリンまたはクラスターデキストリンの成分を含有する水分散溶液中に均一に分散させた水系コーティング剤である。
【００５２】
脱臭塗膜の成膜方法は、この水系コーティング剤を用いて、臭気接触部材に塗布した後、加熱処理（例えば６５℃で１０分間）により臭気接触部材の表面に成膜させ固化させることにより、脱臭塗膜を得る。塗布には、刷毛塗り、スプレー、ディッピング、ロールコート、印刷などの塗装手段を用いることができる。塗布は、１回、あるいは数回に分けて、すなわち多層構造とすることができる。塗材となって塗布されるので、その塗膜状態の塗材に熱をかけることで安定した塗膜が形成される。加熱処理は、塗装の後であり、ドライヤーなどの器具を使うことにより行うことができる。
【００５３】
＜噴霧乾燥＞
上記固形粒子Ａ及び固形粒子Ｂを得るための噴霧乾燥は、上記した水分散溶液を気体中に噴霧して急速に乾燥させ、乾燥粉体を製造する。本構成では、噴霧乾燥装置の乾燥に用いる気体は、高温（２５０℃程度）の空気を用いる。噴霧乾燥は、スプレードライまたはスプレードライングとも称し、食品や医薬品等の熱で傷みやすい材料を乾燥させる場合に用いて好ましいものである。また、噴霧乾燥は、安定した粒度分布を得ることができる。噴霧乾燥は、空気を加熱して乾燥媒体として用いることができる。そのため、成膜コストを安価にできる。この他、噴霧乾燥は、エタノールのような可燃性液体を溶媒とする場合や酸素感受性の製品である場合には、窒素ガスなどを乾燥媒体として用いてもよい。噴霧乾燥は、用途に応じ、１０〜５００μｍの液滴サイズを選択することができる。なお、本構成例の脱臭塗膜は、液体流を噴霧により塗布処理した後、特に加熱せずに、溶液７１または懸濁液を蒸発によって固体化するものであってもよい。この噴霧乾燥によって、銀ゼオライトの表面にｐＨ感受性高分子がコーティングされる粒子、つまり銀ゼオライトがｐＨ感受性高分子に包含される粒子が得られる。
【００５４】
次に、上記した構成の作用を説明する。
本実施形態に係る小便器では、消臭効果をもつ大豆レシチンおよび植物由来のエッセンシャルオイルをエタノールに溶解した溶液７１が、合流ノズル６１から洗浄水供給配管４５の洗浄水中に噴霧により合流される。洗浄水吐出口４１から吐出した洗浄水は、この溶液７１をボウル背壁内面２５、ボウル側壁内面２７、ボウル底壁内面３１に搬送する。これら内面に搬送された溶液７１は、臭気をトラップする。洗浄水及び溶液７１は、臭気をトラップしながら、エッセンシャルオイルの香りが立ち、新たな尿及びその他の臭気元、臭気元を含む残存洗浄水等を内方空間３３から排水口５５を介して外部へ排出する。
【００５５】
また、小便器１００は、凹部５３に装着された錠剤５７が、放尿位置のターゲット、つまり小便器使用者の排尿ターゲットとなる。放尿時における尿は、ボウル背壁内面２５の最適な位置である速やかに排水口５５に流下する位置に着地し、内方空間３３に広く拡散したり、内方空間外に飛散したりしにくくなる。錠剤５７は、芳香成分を含有し、放尿による勢いと使用後の流水により一部が溶解し、これに伴って芳香成分が放出し、臭気がトラップされる。また、溶解時には炭酸水ナトリウム等により発泡し、この泡による洗浄も行われる。その結果、錠剤５７が排尿ターゲットとなり、外方への尿の飛散が抑制されるとともに、芳香成分による防臭が可能となる。なお、錠剤５７は、使用頻度で徐々に溶解してやがてなくなってしまうが、凹部５３には新たに錠剤５７が装着される。
【００５６】
また、小便器１００では、酸性臭が、酸性で溶解するコーティング剤であるｐＨ感受性高分子を介してトラップされる。また、アルカリ臭は、塩基性で溶解するコーティング剤であるｐＨ感受性高分子を介してトラップされる。すなわち、脱臭塗膜は、アルカリ性臭気や酸性臭気を別々に対してではなく１つの塗材を用いて形成される。これにより、脱臭塗膜は、容易な成膜作業により、広範囲な臭気の脱臭効果が得られる。さらに、脱臭塗膜は、粒子Ａおよび粒子Ｂが例えば銀ゼオライト等の無機系抗菌剤を含むので、脱臭効果に加え、これによる抗菌効果もさらに発現させることが可能となる。そして、防臭と抗菌効果を有する塗材が、少なくともボウル背壁内面２５、ボウル側壁内面２７、ボウル天井壁内面２９およびボウル底壁内面３１にコーティングされる。これにより、臭気の接する面積の殆どで脱臭効果、抗菌効果を発現させることが可能となる。その結果、臭気をトラップし、環境のよい（快適な）小便器を得ることができる。また、抗菌作用によって、小便器からの細菌、ウイルス等の微生物の汚染を抑制できる。
【００５７】
また、小便器１００は、しっかりとした被膜の形成が可能となる。また、綺麗な被膜になる。さらに、脱臭塗膜は、細かな多孔質のコーティング構造となるので、経時的に、徐々に脱臭効果、抗菌効果が発現する。その結果、長期に渡り脱臭効果、抗菌効果を持続させる脱臭塗膜を容易に形成することができる。
【００５８】
さらに、小便器１００は、小便器使用者が、所定の立ち位置に立つと、フットスイッチ５１が小便器使用者の存在を検知し、制御装置により駆動装置が制御されて扉部材３９が開放される。使用後には、人体検知センサ４９が小便器使用者の不在を検知し、制御装置により駆動装置が制御されて扉部材３９が開口部３５の一部分を閉鎖する。従って、小便器は、小便器使用者が所定の立ち位置に立ったときのみに、使用が可能となる。これにより、使用者は、小便器に向かって決められた所定の立ち位置に立つ意識を持つことになる。そのため、所定の立ち位置以外で小便器を使用することによる小便器外への尿の飛散が抑制される。その結果、小便器使用者に対し、小便器に向かう最適な位置に立たせる意識を持たせることができ、小便器外に尿が飛び出ることが無くなり、便器周辺の汚れを抑制でき、防臭となる。
【００５９】
次に、上記構成の変形例を説明する。
図７は扉部材３９をシャッター式閉鎖蓋７５とした変形例に係る小便器１００Ａの縦断面図、図８は図７に示した変形例に係る小便器１００Ａのシャッター式閉鎖蓋７５が閉鎖状態の平面図である。
変形例に係る小便器１００Ａは、上記の扉部材３９が、シャッター式閉鎖蓋７５で構成される。他の構成は、上記の小便器１００と同様である。シャッター式閉鎖蓋７５は、例えば複数のスラット７７が連結さて、巻回可能な可撓性を有する。シャッター式閉鎖蓋７５は、ボウル天井壁２１に内蔵される巻取収納部７９に、巻き取り可能となる。この場合、小便器本体１１は、一対のボウル側壁１９に、シャッター式閉鎖蓋７５の両縁をガイドするガイドレール８１が設けられる。
【００６０】
巻取収納部７９には、シャッター式閉鎖蓋７５を巻き取り及び繰り出すシャフト８３が設けられる。シャフト８３は、駆動モータを有する駆動装置により回転駆動される。この駆動装置は、上記の構成と同様に、フットスイッチ５１、人体検知センサ４９に接続される制御装置により駆動が制御される。すなわち、フットスイッチ５１により小便器使用者の存在が検出されると、駆動装置が動作してシャッター式閉鎖蓋７５が巻き取られ、開口部３５が開放される。人体検知センサ４９が小便器使用者の不在を検知すると、駆動装置が駆動され、シャッター式閉鎖蓋７５が繰り出されて、開口部３５の一部分が閉鎖される。
【００６１】
この変形例に係る小便器１００Ａによれば、シャッター式閉鎖蓋７５がボウル側壁１９の前縁から開閉により飛び出ることがなく、小便器使用者との干渉を生じにくくできる。
【００６２】
従って、本実施形態に係る小便器１００，１００Ａによれば、臭気や汚染自体の発生を抑制し、衛生面を向上させ、快適な環境をつくることができる。
【００６３】
なお、上述した扉部材３９やシャッター式閉鎖蓋７５は、小便器１００の開口部３５の一部を閉鎖し、また小便器使用者の存在が検知されると開放されるものであれば、その他の構造としても良く、例えば引戸状の構造として扉を左右方向にスライドさせる、あるいは、扉を左右方向へスイング移動させるなど、上記構成に限定されるものではない。
【００６４】
また、上述した実施形態において、エッセンシャルオイルとしてサイプレスの例をあげたが、香りの成分としては、その他のエッセンシャルオイルを使用することとしてもよく、例えば、芳香剤タンク６３を交換するなどして香りの変更なども可能であり、さらに、錠剤５７の芳香成分についても、好みの香りなどで構成することとしも良い。
【符号の説明】
【００６５】
１１…小便器本体
１７…ボウル背壁
１９…ボウル側壁
２１…ボウル天井壁
２３…ボウル底壁
２５…ボウル背壁内面
２７…ボウル側壁内面
２９…ボウル天井壁内面
３１…ボウル底壁内面
３３…内方空間
３５…開口部
３９…扉部材
４１…洗浄水吐出口
４５…洗浄水供給配管
４９…人体検知センサ
５１…フットスイッチ
５３…凹部
５５…排水口
５７…錠剤
５９…噴射装置
６１…合流ノズル
７１…溶液
１００，１００Ａ…小便器
【図１】
0003207443.tif 000003
【図２】
0003207443.tif 000004
【図３】
0003207443.tif 000005
【図４】
0003207443.tif 000006
【図５】
0003207443.tif 000007
【図６】
0003207443.tif 000008
【図７】
0003207443.tif 000009
【図８】
0003207443.tif 000010